(57)【要約】      （修正有）【課題】電子機器などの水濡れに対して即座に反応し、しかも視認によって水濡れの程度が容易にかつ的確に判別できると共に、その状態が持続的に維持される水濡れ感知用シートを提供する。【解決手段】紙製の吸水性基材シート１の表面に、粉末状の染色材粒子２−１からなる着色材層２が接着剤層３によって形成されている。前記着色材層は染色材粒子間に存在する前記接着剤を介して吸水性基材シートの表面に当該染色材粒子が固定されて構成されている。前記吸水性基材シートの裏面には接着剤層を介してセパレート紙４が貼着される。【選択図】図１
2008090010.tif 000002
【特許請求の範囲】
【請求項１】
紙製の吸水性基材シートの表面に、粉末状の染色材粒子からなる着色材層が形成され、さらに前記着色材層の上に接着剤層を介してセパレート紙が着脱可能に貼着され、前記着色材層は染色材粒子間に存在する前記接着剤を介して吸水性基材シートの表面に当該染色材粒子が固定されて構成されていることを特徴とする水濡れ感知用シート。
【請求項２】
前記紙製の吸水性基材シートが、前記着色材層がほとんど表面側に透けて見えないように処理が施されたものであることを特徴とする請求項１に記載の水濡れ感知用シート。
【請求項３】
前記紙製の吸水性基材シートが、内部に増粘剤が含浸処理されたものであることを特徴とする請求項１に記載の水濡れ感知用シート。
【発明の詳細な説明】
【技術分野】
【０００１】
本発明は、水に濡れることによって故障を生ずることが多い、携帯電話をはじめとする各種電子機器等の内部に貼着され、使用中の水濡れを感知して故障の原因を判別するために、有効に機能する水濡れ感知用シート関する。
【背景技術】
【０００２】
ビデオカメラや携帯電話等の電子機器や各種の精密機器は、雨に濡れたり激しい発汗によって機器の内部に水分が浸透し、それが原因となって故障を発生することが避けられない製品であるため、相当程度までの耐水性措置が施されている。然しながら誤って水溜りに落したり、水を張った洗面容器に落とした場合、内部の電子回路までもが水に浸ることによって、電気製品としての機能が根本的に損なわれ、機材の交換等を含めて本格的修理が必要となるが、通常かかる場合はその責任の所在は使用者である一般消費者に転嫁され、有償による修理の対象とされている。ところが、その故障が不注意によってもたらされた水没に原因するものであるか、通常レベルでの使用中に生じたものであるのかを判別することは容易でなく、所謂ユーザーと業者間におけるトラブルの原因となっているのが実情であった。このようなトラブルを未然に解消するために、基材シートの表面に、染料や顔料からなる着色材を水溶性樹脂中に混入させた水溶性着色樹脂を、直接的に塗布することによって水溶性着色層を形成した水濡れ検知用の識別ラベルを、粘着剤等の接着剤層を介して予め製品内部に貼着しておき、故障の発生に際してはそのラベルの状態を視認して、水性インキの滲み具合や変色状態によって故障の原因を判別するのが従来の一般的な対策の一例であった。
【０００３】
ところがかかる従来の識別ラベルは、水に濡れて着色層が溶け出した場合、水溶性染料が基材シートを形成する紙の内部にまで浸透しているために失色速度に遅れが生じ、その上溶出した着色材が基材シートの内部にまで浸透してこれを着色してしまうので、失色を明確に判断することができなくなるという問題があり、この問題を回避するためにコバルト系やアミン系の染料を着色材として混入させたインクを用いた場合、インクの変色によって水没が原因であることが判別できるが、それが乾燥すると元の状態に戻ってしまい、判別不能に陥るという不具合が残されていた。
【０００４】
このような問題を解決するために、図２に示す従来の水濡れ感知用シートは、例えば上質紙などの水溶性の紙からなる水溶性基材シート１０の表面に、水溶性バインダー中に水溶性の染料または顔料を着色材４０として混入させることによって得られた水溶性の着色層３０か、油溶性樹脂バインダー中に染料または顔料を着色材４０として混入させることによって得られた油溶性の着色層３０のいずれかを接着剤層５０によって形成し、該水溶性基材シート１０の裏面には、接着剤層５０を介してセパレートシート７０が仮貼着されて水濡れ感知用シートを構成したものが提案されている（例えば、特許文献１参照）。
この水濡れ感知用シートの場合は、電子部品の表面など被着体に対する貼着に際しては該セパレートシート７０を剥離した後、接着剤層５０の成分に応じて無加熱若しくは加熱押圧によって貼着され、当該製品が水濡れ、浸漬、水没等によってその外側部分が直接水に接触したり、製品内部に水が浸入してそれぞれが水に濡れた場合は、感知用シートに失色が生じて、乾燥後であってもその失色状態が維持されるため、当該製品の水濡れ発生の有無について客観的な判断が持続的に可能となる旨報告されている。
【０００５】
一方、上記の如く水濡れ感知用シートの失色によって水濡れを検知するのとは対照的に、該シートの変色によって水濡れを確認する方法も提案されており、一例として、水をはじき難い用紙に、水溶性染料を含有した水無平板用印刷インキを印刷することによって水濡れ感知用印刷物を得、該印刷物を、水濡れを嫌う機器の内部に貼着して、機器内部における水濡れを目視によって確認する手段も提案されている（例えば、特許文献２参照）。この種の水濡れ感知印刷物は、印刷用インクに含有される水溶性染料が、水に触れることによって印刷部分から溶出し、用紙における非印刷部分に滲み出し、その部分を染料の色調に準じて変色させることにより、水濡れを視認によって検知させるものであり、水濡れ感知印刷物としての優れた特性が開示されている。
【特許文献１】特開平７−３３４０８２号公報
【特許文献２】特開平１０−２８９３号公報
【発明の開示】
【発明が解決しようとする課題】
【０００６】
しかしながら、上記の先行技術を含めて従来のこの種の水濡れ感知用シートは、基材シート上に印刷や塗布によって形成される着色層が、染料や顔料からなる着色材そのものを水溶性若しくは油溶性の溶媒中に、通常分散状態で混入させることによって形成されているため、該着色層に水分が浸入した場合、浸入した水分は溶媒中に分散状態で混入する個々の着色材に直ちに接触することがかなわずに、該溶媒中に徐々に浸透して該着色材と接触し、それを消色して失色に至らしめるか、あるいは該着色材を、印刷を施していないシート面にまで滲ませてこれを変色させるまでには、相当程度のタイムラグを避けることができないのが実情であった。また、溶媒中に分散する着色材は、上質で無色の薄紙からなる水溶性基材シートを介して、その表面に透けて見えることもあり、基材シート面において色調が同調して、不明確になるという問題もあった。
【０００７】
本発明はかかる従来技術の問題を解決するためになされたものであり、電子機器などの水濡れに対して即座に反応し、しかも視認によって水濡れの程度が容易にかつ的確に判別できると共に、その状態が持続的に維持される水濡れ感知用シートを提供しようとするものである。
【課題を解決するための手段】
【０００８】
本発明にかかる水濡れ感知用シートは、紙製の吸水性基材シートの表面に、粉末状の染色材粒子からなる着色材層が形成され、さらに前記着色材層の上に接着剤層を介してセパレーと紙が着脱可能に貼着され、前記着色材層は染色材粒子間に存在する前記接着剤を介して吸水性基材シートの表面に当該染色材粒子が固定されて構成されいてることを特徴とするものである。
また、この水濡れ感知用シートは、前記紙製の吸水性基材シートが、前記着色材層がほとんど表面側に透けて見えないように処理が施されたものが好適である。そのような吸水性基材シートとしては、例えば内部に増粘剤が含浸処理されたものを採用することができる。
【発明の効果】
【０００９】
上記のように構成された本発明の水濡れ感知用シートは、着色材層が吸水性基材シートの表面に透けて見えることがほとんどないため、基材シート面において水濡れによる場合と色調が同調して不明確になることがない。また、本発明の水濡れ感知用シートの場合は、着色材層を構成する染色材粒子間に存在する接着剤を介して吸水性基材シート面に直接当該粉末状の着色材が固定されているため、吸水性基材シートの表面に水濡れが生じた場合、該基材シートの毛細管現象によって浸透する水分は、着色材層を形成する染色材粒子に直接的に接触し、その色素を基材シート面に滲出して変色させ、目視によって水濡れを迅速にかつ的確に確認することができる。また、乾燥後においてもその状態が持続性を以って維持されるため、水濡れ感知の有効的手段として活用することが可能となる。
なお、本発明の水濡れ感知用シートを使用する際は、紙製の吸水性基材シートの裏面に着脱可能に貼着されているセパレート紙を剥離して、対象となる機器の内部における所定の位置に貼付する。
【発明を実施するための最良の形態】
【００１０】
図１は本発明に係る一実施例による水濡れ感知用シートを説明するための、模式的な拡大断面図であり、１は紙製の吸水性基材シート、２は粉末状の着色材層、２−１は染色材粒子、３は接着剤層、４はセパレート紙である。
【００１１】
すなわち、本発明による水濡れ感知用シートは、紙製の吸水性基材シート１の表面に、粉末状の染色材粒子２−１からなる着色材層２が接着剤層３によって形成され、前記吸水性基材シート１の裏面に前記接着剤層３を介してセパレート紙４が着脱可能に貼着されている。ここで、前記着色材層は粉末状の染色材粒子２−１間に存在する前記接着剤３を介して吸水性基材シート１上に直接当該染色材粒子２−１が固定されて構成されている。
【００１２】
なお、上記構成の水濡れ感知用シートを使用する場合は、基材シート１の裏面に接着剤層３を介して貼着されたセパレート紙４を剥離し、機器の内部などに貼着する。
【００１３】
ここで、吸水性の基材シート１を形成する素材としては、通常市販の印刷・情報用紙で吸水性を有するものであれば特に問題は無いが、アート紙、上質・中質のコート紙、水溶性合成樹脂およびこれらを合成した紙が用いられるが、中でも吸水性を有する上質紙が好ましく用いられる。また、この紙製の吸水性基材シート１としては、前記着色材層２がほとんど表面側に透けて見えないものを用いることはいうまでもない。そのような基材シートとしては、例えば前記各種の吸水性を有する紙に着色材層２がほとんど表面側に透けて見えないような処理が施されたものを用いる。そのような紙としては、例えば内部に増粘剤が含浸処理されたものなどを用いることができる。また、着色材層２を形成する色材としては各種染料、有機顔料、無機顔料およびそれらの混合組成物からなる色材の中から任意に選択して採用される。なお、この色材は基材シート１上に散布等の手段によって分散させることができる。
【００１４】
上記構成の本発明の水濡れ感知用シートは、水濡れを嫌う各種の電子機器等の内部における所定の位置に貼付され、吸水性基材シート１面に水濡れが生じた場合、該基材シートの毛細管現象によって浸透する水は、着色材層２を形成する染色材粒子２−１に直接的に接触し、その色素を基材シート１面に滲出して変色させ、目視によっての水濡れが迅速にして且つ容易に確認することができる。また、該水濡れ感知用シートが乾燥された後においてもその状態が持続性を以って維持されるため、水濡れを判別する有効的手段として活用することが可能となる。
【産業上の利用可能性】
【００１５】
本発明の水濡れ感知用シートは、水濡れを嫌う各種の電子機器等の内部における所定の位置に貼付され、基材シート面に水濡れが生じた場合、吸水性基材シートの毛細管現象によって浸透する水は、着色材層を形成する染色材粒子に直接的に接触し、その色素を基材シート面に滲出して変色させ、目視によっての水濡れが迅速にして且つ容易に確認することができるので、電子機器等の水濡れ検知用のラベル若しくはシートとして極めて実用性に富むものである。また、本発明の水濡れ感知用シートの場合は、該シートが乾燥された後においてもその状態が持続性を以って維持されるため、水濡れを判別する有効的手段として活用することも可能である。
【図面の簡単な説明】
【００１６】
【図１】本発明に係る一実施例による水濡れ感知用シートを説明するための模式的な拡大断面図である。
【図２】従来の水濡れ感知用シートの一例を模式的に示す拡大断面図である。
【符号の説明】
【００１７】
１  紙製の吸水性基材シート
２  着色材層
２−１  染色材粒子
３  接着剤層
４  セパレート紙
【図１】
2008090010.tif 000003
【図２】
2008090010.tif 000004